(57)【要約】      （修正有）【課題】スキャン品質が良好で、製造コストを低減するスキャン装置を提供する。【解決手段】スキャン装置は、ベース１０、上蓋、モータ、２組のローラ３１、３２、センサ４０及びカード受け装置５０を含み、上蓋は、ベース１０上に設けられ、上蓋とベース１０の間に第１通路６０、スキャン通路７０、第２通路８０を形成し、スキャン通路７０内にスキャン読み取り線７１を有し、モータがベース１０に取り付けられ、一組のローラ３１がベース１０に取り付けられ、第１通路６０に伸入し、他組のローラ３２がベース上に取り付けられ、第２通路８０に伸入し、二組のローラ３１、３２がモータと接続し、モータの駆動で正逆回転でき、センサ４０が第１通路６０内に取り付けられ、カード受け装置５０がベース１０に固定設置され、係止アーム５２を含み、係止アーム５２とスキャン読み取り線７１が互いに平行に第２通路８０後方に設けられ、第２通路８０と直交する。【選択図】図９
0003210922.tif 000002
【実用新案登録請求の範囲】
【請求項１】
カードに対してスキャンを行うことができ、
ベースと、
ベース上に枢着し、ベース上に被せ設けられた後、ベースとの間に第１通路、第１通路方向に設けられるスキャン通路及びスキャン通路後方に位置する第２通路を形成し、第１通路、スキャン通路及び第２通路が相互に連通し、スキャン通路内にスキャン読み取り線を設ける上蓋と、
ベース上に取り付けられる少なくとも１つのモータと、
一組がベースに取り付けられ、第１通路に伸入試、他組がベース上に取り付けられ、第２通路に伸入し、両組が何れもモータに接続し、モータの駆動により正回転及び逆回転できる二組のローラと、
第１通路内に取り付けられるセンサと、
ベース上に固定設置され、係止アームを含み、係止アーム及びスキャン読み取り線が相互に平行に第２通路後方に設けられ、第２通路と直交するカード受け装置と、
を含むスキャン装置。
【請求項２】
前記カード受け装置は、更に、２つの弾性アームを含み、２つの弾性アームは、横向き配列を呈してベース上の第２通路の下方に固定設置され、第２通路に相対して前後に伸縮することができ、前記係止アームは、２つの弾性アームの末端に固定設置され、弾性アームが収縮状態にある時、係止アームは、第２通路の後端に位置し、第２通路を密閉する請求項１に記載のスキャン装置。
【請求項３】
前記２つの弾性アームは、何れも中空の第１支持アーム、第２支持アーム及びバネを含み、前記第１支持アームは、固定端及び自由端を含み、２つの第１支持アームの固定端は、何れもベース上の第２通路の下方に枢着し、前記２つのバネは、それぞれ２つの第１支持アームのベースに枢着する一端と枢着し、且つそれぞれ２つの第１支持アームの固定端と共にベース上に枢着し、バネの一端は、ベース上に固定設置され、バネの他端は、第１支持アーム上に固定設置され、前記２つの第２支持アームの一端は、それぞれ対応する第１支持アームの自由端に固定設置され、前記係止アームは、２つの第２支持アームの他端に固定設置される請求項２に記載のスキャン装置。
【請求項４】
前記ベース上の第２通路の下方に２つの横向き配列を呈する凸柱を凸設し、前記２つの第１支持アームの固定端の一側は、円環形の枢着部を設け、前記２つの枢着部は、それぞれ凸柱上に枢着し、前記２つのバネは、枢着部上に枢着する請求項３に記載のスキャン装置。
【請求項５】
前記２つの第１支持アームの固定端上は、何れも相互に?み合う第１係合歯を凸設し、前記２つの第２支持アームは、係止アームの一端は、何れも相互に噛み合う第２係合歯を凸設する請求項３に記載のスキャン装置。
【請求項６】
前記２つの第１支持アームの自由端は、何れも弧形限位溝を設け、前記第２支持アームの第１支持アームを固定設置する一端は、限位ブロックを凸設し、前記限位ブロックは、対応する限位溝内に収容される請求項３に記載のスキャン装置。
【請求項７】
前記係止アームは、固定板を有し、固定板の後端は、上向きに係止板を凸伸し、前記固定板は、２つの弾性アームの末端に固定設置され、弾性アームが收縮状態にある時、係止板は、第２通路の後端に位置し、第２通路を密閉する請求項２に記載のスキャン装置。
【請求項８】
前記ベースは、座体部及び保持部を含み、前記座体部の前部は、伝送台であり、前記座体部の後部は、伝送台よりも高く上向きに起きた戻り台であり、
前記保持部の上表面は、水平状を呈し、保持部は、座体部上の開口の下方に固定設置され、保持部の上表面は、伝送台と平らに揃えられ、上蓋は、ベース上に被せ設けられた後、上蓋と伝送台の前部との間に前記第１通路を形成し、上蓋と伝送台の中部との間は、前記スキャン通路を形成し、上蓋及び伝送台の後部の組み合わせ及び座体部の開口と保持部上方が共同で前記第２通路を形成する請求項１に記載のスキャン装置。
【考案の詳細な説明】
【技術分野】
【０００１】
本考案は、スキャン装置に関し、特に、製造コストが低く、スキャンするカードが機械及びスキャン品質が良好なスキャン装置に関する。
【背景技術】
【０００２】
図１〜図４を参照し、従来のカード２００’に対してスキャンを行うことができるスキャン装置１００’は、ベース１０’、ベース１０’上に被せ設けられる上蓋（図示せず）、第１ローラ２０’、第２ローラ３０’及びモータ（図示せず）を含み、上蓋がベース１０’上に被せ設けられた後、上蓋とベース１０’の間に第１通路４’、第１通路４０’後に位置するスキャン通路５０’及びスキャン通路５０’後に位置する後端と外部が連通する第２通路６０’を形成する。第１ローラ２０’は、ベース１０’上に設置され、第１通路４０’に伸入し、第２ローラ３０’は、ベース１０’上に設置され、第２通路６０’に伸入し、２組のローラは、何れもモータと接続し、モータの駆動により正回転及び逆回転することができる。第１通路４０’、スキャン通路５０’及び第２通路６０’が相互に連通し、第１通路４０’内に第１センサ７０’を設置し、第２通路６０’内に第２ローラ３０’の中心線３１’前方に位置する第２戦さ８０’を設置し、スキャン通路５０’内にスキャン読み取り線５１’を設け、第１センサ７０’は、第１通路４０’内にスキャン待ちのカード２００’があるかをセンシングすることに用い、第２センサ８０’は、スキャン待ちカード２００’の開始位置をセンシングすることに用いられる。
【０００３】
従来のスキャン装置１００’の動作フローは、以下である。カード２００’を第１通路４０’に挿入し、第１センサ７０が第１通路４０’内にスキャン待ちのカード２００’があることを検出した後、第１ローラ２０’及び第２ローラ３０’は、正回転し、カード２００’の後向きの送入を連動し、カード２００’がスキャン通路５０’を通過してカード２００’の後端縁を第２通路６０’に到達させ、カード２００’の後端縁は、第２ローラ３０’の中心線３１’及び第２センサ８０’の間に位置し、スキャン読み取り線５１’と一定の距離を保持し、第１ローラ２０’及び第２ローラ３０’が正回転を停止し、カード２００’が停止位置に位置する。所定時間後、第１ローラ２０’及び第２ローラ３０’が逆回転し、カード２００’の前向きの送入を連動し、カード２００’が第２センサ８０’に接触した後、スキャン装置１００’がスキャンを行い、カード２００’が前向きの送入をスキャン完成まで継続し、スキャン完成後、カード２００’は、第１通路４０’から送出する。
【０００４】
しかしながら、カード２００’が後向きに送入される時、容易に歪んで斜めに送入する状況が発生し、カード２００’のスキャン前、即ちカード２００’が停止位置にある時、カード２００’の局部がスキャン読み取り線５１’を遮蔽する。また、カード２００’は、第２ローラ３０’が滑動してカード２００’が停止位置にある時、読み取り線５１’を遮蔽するようになり、従って、スキャンの過程において、カード２００’の一部分がスキャンされず、スキャンが不完全にある。従来のスキャン装置１００’は、２つのセンサを設置する必要があり、製造コストが比較的高い。また、現在の設計は、何れも機械の体積を小さくする必要があるので、機構の間の距離が益々小さくなり、第２センサ８０’及び第２ローラ３０’の中心線３１’の距離も益々小さくなる。モータの制御の要素、機構寸法の誤差等により、カード２００’が後向きに送入される時、カード２００’の後端が第２ローラ３０’の中心線３１’を超過し、それによりカード２００’が機械から脱落するか、モータが逆回転する時、カード２００’が戻ってスキャンを行うことができなくなる。従来のスキャン装置１００’の第２通路６０’は、外部と連通氏、灰塵又は異物が第２通路６０’に進入し、それにより、スキャン装置１００’を損壊し易い。
【０００５】
従って、製造コストが比較的低く、スキャンするカードが機械から脱落せず、スキャン品質が良好なスキャン装置を提供する必要がある。
【先行技術文献】
【特許文献】
【０００６】
【特許文献１】特開２０１０−５４８０３号公報
【考案の概要】
【考案が解決しようとする課題】
【０００７】
本考案の目的は、従来技術に存在する欠陥及び不足に対して製造コストが比較的低く、スキャンするカードが機械から脱落せず、スキャン品質が良好なスキャン装置を提供することである。
【課題を解決するための手段】
【０００８】
上記目的を実現するため、本考案のスキャン装置は、カードに対してスキャンを行うことができ、ベース、上蓋、少なくとも１つのモータ、２組のローラ、センサ及びカード受け装置を含み、上蓋は、ベース上に枢着し、上蓋がベース上に被せ設けられた後、上蓋及びベースの間に第１通路、第１通路後方に設けられるスキャン通路及びスキャン通路後方に位置する第２通路を形成し、第１通路、スキャン通路及び第２通路は、互いに連通し、スキャン通路内にスキャン読み取り線を有し、モータは、ベース上に取り付けられ、二組のローラのうちの一組のローラは、ベースに取り付けられ、第１通路に伸入し、他組のローラは、ベース上に取り付けられ、第２通路に伸入し、二組のローラは、何れもモータと接続し、モータの駆動により正回転及び逆回転でき、センサは、第１通路内に取り付けられ、カード受け装置は、ベース上に固定設置され、係止アームを含み、係止アーム及びスキャン読み取り線は、互いに平行に第２通路後方に設けられ、第２通路と直交する。
【考案の効果】
【０００９】
上記のように、本考案のスキャン装置は、係止アーム及びスキャン読み取り線が相互に平行に第２通路後方に設けられ、第２通路と直交することにより、カードが前向きにスキャン通路まで送入される前に係止アーム上に当接し、カードのスキャン端の辺縁とスキャン読み取り線の平行を確保し、スキャン読み取り線と所定距離を保持し、カードがスキャン読み取り線を遮蔽することがなく、スキャン時にカードの一部分がスキャンされなくなることがなく、スキャン品質が良好であり、また、係止アームの係止により、カードが後向きに送入される時、機械から脱落せず、該スキャン装置は、ただ１つのセンサを設置するだけで、従来のスキャン装置の機能を実現でき、製造コストを低減する。
【図面の簡単な説明】
【００１０】
【図１】従来のスキャン装置の上蓋を有さない立体図である。
【図２】図１に示す従来のスキャン装置の他の角度の立体図である。
【図３】従来のスキャン装置がカードをスキャンする時、カードが斜めに歪んで進入し、カードが停止位置にある時、カードの局部がスキャン読み取り線を遮蔽する説明図である。
【図４】従来のスキャン装置がカードをスキャンする時、第２ローラが滑動し、カードが停止位置にある時、カードの局部がスキャン読み取り線を遮蔽する説明図である。
【図５】本考案のスキャン装置の上蓋を有さない実施例の立体図である。
【図６】図５が示す本考案のスキャン装置の断面説明図である。
【図７】図５が示す本考案のスキャン装置の係止アームが後向きに移動する立体図である。
【図８】図７が示す本考案のスキャン装置のもう１つの角度の立体図である。
【図９】カードが係止アームを押し上げ、第１支持アームと第２支持アームの所定行程を移動し終えるまで後向きに移動した後の説明図である。
【図１０】本考案のスキャン装置のカード受け装置の初期状態の立体図である。
【図１１】本考案のスキャン装置のカード受け装置の使用状態の立体図である。
【図１２】本考案のスキャン装置の保持部の立体図である。
【図１３】本考案のスキャン装置の第２実施例の立体図である。
【図１４】図１３に示される本考案のスキャン装置の立体分解図である。
【図１５】カードが第２係止アームを押し上げ、第２係止アームの所定行程を移動し終えるまで後向きに移動した後の説明図である。
【図１６】図１５に示される本考案のスキャン装置のもう１つの角度の立体図である。
【考案を実施するための形態】
【００１１】
本考案の技術内容、構造特徴、達成する目的及び効果を分かり易くするため、以下に実施例を挙げ、図面に合わせて詳細に説明を行う。
【００１２】
図５、図６及び図９を参照し、本考案のスキャン装置１００は、カード２００（身分証、銀行のカード及び名詞等）に対してスキャンを行うことができ、少なくとも１つのベース１０、上蓋２０、少なくとも１つのモータ（図示せず）、二組のローラ３０、センサ４０及びカード受け装置５０を含む。前記上蓋２０は、ベース１０上に枢着し、上蓋２０がベース１０上に被せ設けられた後、上蓋２０及びベース１０の間に第１通路６０、第１通路６０後方に設けられるスキャン通路７０及びスキャン通路７０後方に位置する第２通路８０を形成する。前記スキャン通路７０内にスキャン読み取り線７１を設け、第１通路６０、スキャン通路７０及び第２通路８０は、互いに連通する。
【００１３】
図５、図６及び図１２を参照し、前記ベース１０は、座体部１１及び保持部１２を有し、前記座体部１１の前部が伝送台１１１であり、前記座体部１１の後部が戻り台１１２であると定義し、戻り台１１２は、伝送台１１１よりも高く上向きに起こされた弧形状を呈する。戻り台１１２及び伝送台１１１の接続箇所は、前後に貫通する開口１１３を開設する。前記保持部１２の上表面は、水平状を呈し、保持部１２は、座体部１１上の開口１１３の下方に固定設置され、保持部１２の上表面は、伝送台１１１と平らに揃えられる。上蓋２０がベース１０上に被せ設けられた後、上蓋２０と伝送台１１１の前部との間は、前記第１通路６０が形成され、上蓋２０と伝送台１１１の中部の間は、前記スキャン通路７０が形成され、上蓋２０及び伝送台１１１の後部の組み合わせ及び座体部１１の開口１１３及び保持部１２上方が共同で前記第２通路８０を形成する。前記ベース１０の保持部１２の下表面は、第２通路８０の下方の凸設に横方向に配列される２つの凸柱１２１を有する。
【００１４】
図５、図６及び図１２を参照し、前記モータは、ベース１０上に取り付けられる。前記二組のローラ３０のうち一組のローラは、ベース１０上に取り付けられ、第１通路６０に伸入し、他組のローラは、ベース１０上に取り付けられ、第２通路８０に伸入し、二組のローラ３０は、何れもモータと接続する。具体的には、前記二組のローラ３０は、それぞれ第１ローラ組３１及び第２ローラ組３２であり、第１ローラ組３１は、べース１０の座体部１１上に取り付けられ、第１通路６０内に伸入し、第２ローラ組３２は、ベース１０の座体部１１上に取り付けられ、第２通路８０内に伸入し、前記第１ローラ組３１及び第２ローラ組３２は、何れもモータと接続し、モータの駆動によって正回転及び逆回転することができる。前記センサ４０は、第１通路６０内に取り付けられる。
【００１５】
図５〜図１２を参照し、前記カード受け装置５０は、２つの弾性アーム５１及び係止アーム５２を含み、２つの弾性アーム５１は、横方向配列を呈し、ベース１０上の第２通路８０の下方に設けられる。具体的に、２つの弾性アーム５１の前端は、ベース１０の保持部１２の凸柱１２１上に枢着し、第２通路８０に対して前後に伸縮することができる。前記係止アーム５２は、固定板５２１を有し、固定板５２１の後端は、垂直上向きに係止板５２２を凸伸し、前記係止アーム５２の固定板５２１は、２つの弾性アーム５１の末端に固定設置され、係止アーム５１の係止板５２２及びスキャン読み取り線７１は、相互に平行に第２通路８０後方に設けられ第２通路８０と直交する。
【００１６】
前記２つの弾性アーム５１は、左右対称を呈し、何れも中空の第１支持アーム５３、第２支持アーム５４及びバネ５５を含む。前記２つの第１支持アーム５３は、固定端５３１及び自由端５３２を有し、前記２つの第１支持アーム５３の固定端５３１上に何れも相互に噛み合わさる第１係合歯５３３を設け、前記２つの第１支持アームの自由端５３２は、何れも弧形限位溝５３４を設け、２つの第１支持アーム５３の固定端５３１は、何れもベース１０の保持部１２上の第２通路８０の下方に枢着する。前記２つのバネ５５は、それぞれ２つの第１支持アーム５３のベース１０に枢着する一端に枢着し、且つそれぞれ２つの第１支持アーム５３の固定端５３１と共にベース１０上に枢着し、バネ５５の一端は、ベース１０の保持部１２上に固定設置され、バネ５５の他端は、第１支持アーム５３上に固定設置される。前記２つの第２支持アーム５４の一端は、それぞれ対応する第１支持アーム５３の自由端５３２に枢着し、前記係止アーム５２は、２つの第２支持アーム５４の他端に固定設置される。前記２つの第２支持アーム５４の第１支持アーム５３を固定設置する一端は、何れも限位ブロック５４１を凸設し、前記２つの限位ブロック５４１は、それぞれ対応する限位溝５３４内に収容され、第２支持アーム５４の第１支持アーム５３に相対して回転する角度を制限することに用いられる。前記２つの第２支持アーム５４の係止アーム５２を固定設置する一端は、何れも相互に噛み合う第２係合歯５４２を凸設する。具体的には、前記２つの第１支持アーム５３は、固定端５３１の一側において、円環形の枢着部５３５を凸設し、前記２つの枢着部５３５は、それぞれ凸柱１２１上に枢着し、前記２つのバネ５５は、それぞれ枢着部５３５上に枢着し、前記固定板５２１は、２つの弾性アーム５１の第２支持アーム５４の末端に固定設置される。カード２００の一端を送入端２０１として定義し、カード２００の他端をスキャン端２０２として定義する。
【００１７】
図５〜図１２を参照し、本考案のスキャン装置１００が未使用状態、即ち、弾性アーム５１が収縮状態である時、２つの第１支持アーム５３及び２つの第２支持アーム５４は、それぞれ「一」の字形に対応して収納され、保持部１２の下方に収容され、２つの第１係合歯５３３は、対応して噛み合い、２つの第２係合歯５４２は、対応して噛み合い、係止アーム５２の係止板５２２第２通路８０の後端に位置し、第２通路８０を密閉する。本考案のスキャン装置１００の動作時、先ず、スキャン待ちのカード２００を第１通路６０に挿入し、センサ４０をトリガし、センサ４０がトリガされた後、モータが第１ローラ組３１及び第２ローラ組３２の正回転を連動し、第１ローラ組３１がカード２００の後向きの送入を連動し、カード２００がスキャン通路７０を通過し、第２通路８０内の第２ローラ組３２に到達し、カード２００は、スキャン通路７０を通過する時、スキャン装置１００は、カード２００に対してスキャンを行わず、第２ローラ組３２がカード２００を連動し、後向きの送入を、カード２００の送入端２０１が係止板５２２上に当接するまで継続し、カード２００が係止アーム５２の係止板５２２を押圧して後向きに移動し、係止アーム５２が第１支持アーム５３及び第２支持アーム５４の引き延ばしを連動し、第１支持アーム５３がバネ５５の引き延ばしを連動し、第１支持アーム５３及び第２支持アーム５４が所定行程を移動し終えた後、モータが正回転を所定時間継続し、カード２００の送入端２０１の辺縁が係止板５２２上に当接するよう確保し、それにより、カード２００のスキャン端２０２の辺縁がスキャン読み取り線７１と平行してスキャン読み取り線７１と所定の距離を保持し、カード２００がスキャン読み取り線７１を遮蔽することがないように確保し、スキャン時、カード２００の一部分がスキャンされないことがなく、スキャンを完全にする。所定時間後、モータが正回転を停止し、バネ５５が元の位置に回復し、係止板５２２の前向きの移動を連動し、この時、スキャン装置１００は、スキャンモードをトリガし、モータが逆回転し、第１ローラ組３１及び第２ローラ組３２の逆回転を連動し、第２ローラ組３２カード２００の前向きの送入を第１通路６０内に至るまで連動し、その後、第１ローラ組３１は、カード２００の前向きの送出を連動してスキャンを完成する。
【００１８】
本考案のスキャン装置１００は、２つの第１支持アーム５３の固定端５３１上に何れも相互に噛み合う第１係合歯５３３を凸設し、２つの第２支持アーム５４の係止アーム５２を固定設置する一端は、何れも相互に噛み合う第２係合歯５４２を凸設し、それにより、第１支持アーム５３及び第２支持アーム５４の取り付けの安定性を確保し、係止アーム５２の係止板５２２は、歪んで斜めになることがない。また、本考案のスキャン装置１００が未使用状態の時、係止アーム５２の係止板５２２は、第２通路８０の後端に位置し、第２通路８０を密閉し、灰塵又は異物が第２通路８０へ進入することを回避し、それにより、スキャン装置１００の損壊を回避する。
【００１９】
本考案のスキャン装置１００は、バネ５５の位置回復によて係止板５２２の前向きの移動を連動し、それにより、カード２００が後向きに送入される時、カード２００のスキャン端２０２が第２ローラ組３２の中心線３２１を超過したとしても、カード２００は、依然として第２ローラ組３２の中心線３２１上まで戻ることができる。また、係止アーム５２の係止板５２２の係止によって、カード２００が後向きに送入される時、機械から脱落することがない。
【００２０】
図１３〜図１６を参照し、本考案のスキャン装置１００の第２実施例であり、上記実施例に相対し、その保持部及びカード受け装置は異なり、第２実施例中の保持部は、第２保持部８１であると定義し、第２実施例中のカード受け装置は、第２受け装置９０であると定義する。前記第２保持部８１の下表面の両側は、何れもガイドレール８２を固定設置し、前記第２保持部８１の下表面の後部の２つのガイドレール８２の間に第１係合保持部８３を凸設する。前記第２受け装置９０は、第２係止アーム９１及び弾性アーム９２を設ける。前記第２係止アーム９１は、第２固定板９１１を有し、第２固定板９１１の後端は、上向きに第２係止板９１２を凸伸し、第２係止板９１２及びスキャン読み取り線７１は、相互に平行に第２通路８０後方に設けられ、第２通路８０と直交する。第２固定板９１１の下表面の前部は、第２係合保持部９１３を凸設し、第２固定板９１１の下表面の第２係合保持部９１３の後方に第２固定板９１１後表面を貫通する溝９１４を開設し、第２固定板９１１の下表面の溝９１４の両側にＵ字形の補強部９１５を開設する。前記弾性アーム９２は、溝９１４内に収納され、弾性アーム９２の一端は、第１係合保持部８３上に固定設置され、弾性アーム９２の他端は、第２係合保持部９１３上に固定設置される。
【００２１】
図１３〜図１６を参照し、本考案のスキャン装置１００の第２実施例が未使用状態、即ち弾性アーム９２が收縮状態である時、第２係止板９１２は、第２通路８０の後端に位置し、第２通路８０を密閉する。本考案のスキャン装置１００の第２実施例の動作時、先ず、スキャン待ちのカード２００を第１通路６０に挿入し、センサ４０をトリガし、センサ４０のトリガ後、モータが第１ローラ組３１及び第２ローラ組３２の正回転を連動し、第１ローラ組３１がカード２００の後向きの送入を連動し、カード２００は、スキャン通路７０を通過して第２通路８０内の第２ローラ組３２に到達し、カード２００がスキャン通路７０を通過する時、スキャン装置１００は、カード２００に対してスキャンを行わず、第２ローラ組３２は、カード２００を連動し、カード２００の送入端２０１が第２係止板上に当接するまで後向きの送入を継続し、カード２００が第２係止アーム９１の第２係止板９１２を押圧し、ガイドレール８３に沿って後向きに移動し、第２係止アーム９１が弾性アーム９２の引き延ばしを連動し、第２係止アーム９１の所定行程を移動し終えた後、モータが所定時間正回転を継続し、カード２００の送入端２０１の辺縁が第２係止板９１２上に当接するよう確保し、それにより、カード２００のスキャン端２０２の辺縁がスキャン読み取り線７１と平行し、スキャン読み取り線７１と所定距離を保持するよう確保し、カード２００がスキャン読み取り線７１を遮蔽し続けることがなく、スキャン時にカード２００の一部分がスキャンされないことが生じず、スキャンを完全にする。所定時間後、モータが正回転を停止し、弾性アーム９２が元の位置に戻り、第２係止板９１２の前向きの移動を連動し、この時、スキャン装置１００がスキャンモードをトリガし、モータが逆回転し、第１ローラ組３１及び第２ローラ組３２の逆回転を連動し、第２ローラ組３２がカード２００を連動して前向きにスキャン通路７０へ送入させ、スキャンを開始し、第２ローラ組３２が、カード２００が前向きに第１通路６０内に送入されるよう連動し、その後、第１ローラ組３１がスキャンを完成するまでカード２００の前向きの送出を連動する。
【００２２】
上記のように、本考案のスキャン装置１００は、ベース１０上にカード受け装置５０を固定設置し、カード受け装置５０の係止板５２２及びスキャン読み取り線７１が相互に平行に第２通路８０後方に設けられ、第２通路８０と直交し、カード２００が前向きにスキャン通路７０まで送入される前にカード受け装置５０の係止板５２２上に当接し、カード２００のスキャン端２０２の辺縁がスキャン読み取り線７１と平行しスキャン読み取り線７１と所定距離を保持するよう確保し、カード２００がスキャン読み取り線７１を遮蔽せず、スキャン時にカード２００の一部分がスキャンされないことがなく、スキャン品質が良好であり、また、係止アーム５２の係止板５２２の係止により、カード２００が後向きに送入される時、機械から脱落せず、該スキャン装置１００は、ただ１つのセンサ４０を設置するだけで従来のスキャン装置の機能を実現し、それにより、製造コストを低減する。
【００２３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２４】
１００  スキャン装置
１０  ベース
１１  ソケット部
１１１  伝送台
１１２  戻り台
１１３  開口
１２  保持部
１２１  凸柱
２０  上蓋
３０  ローラ
３１  第１ローラ組
３２  第２ローラ組
３２１  中心線
４０  センサ
５０  カード受け装置
５１  弾性アーム
５２  係止アーム
５２１  固定板
５２２  係止板
５３  第１支持アーム
５３１  固定端
５３２  自由端
５３３  第１係合歯
５３４  限位溝
５３５  枢着部
５４  第２支持アーム
５４１  限位ブロック
５４２  第２係合歯
５５  バネ
６０  第１通路
７０  スキャン通路
７１  スキャン読み取り線
８０  第２通路
８１  第２保持部
８２  ガイドレール
８３  第１係合保持部
９０  第２受け装置
９１  第２係止アーム
９１１  固定板
９１２  第２係止板
９１３  第２係合保持部
９１４  溝
９１５  補強部
９２  バネ
２００  カード
２０１  送入部
２０２  スキャン端
【図１】
0003210922.tif 000003
【図２】
0003210922.tif 000004
【図３】
0003210922.tif 000005
【図４】
0003210922.tif 000006
【図５】
0003210922.tif 000007
【図６】
0003210922.tif 000008
【図７】
0003210922.tif 000009
【図８】
0003210922.tif 000010
【図９】
0003210922.tif 000011
【図１０】
0003210922.tif 000012
【図１１】
0003210922.tif 000013
【図１２】
0003210922.tif 000014
【図１３】
0003210922.tif 000015
【図１４】
0003210922.tif 000016
【図１５】
0003210922.tif 000017
【図１６】
0003210922.tif 000018
【手続補正書】
【提出日】平成29年4月10日(2017.4.10)
【手続補正１】
【補正対象書類名】実用新案登録請求の範囲
【補正対象項目名】全文
【補正方法】変更
【補正の内容】
【実用新案登録請求の範囲】
【請求項１】
カードに対してスキャンを行うことができ、
ベースと、
ベース上に枢着し、ベース上に被せ設けられた後、ベースとの間に第１通路、第１通路方向に設けられるスキャン通路及びスキャン通路後方に位置する第２通路を形成し、第１通路、スキャン通路及び第２通路が相互に連通し、スキャン通路内にスキャン読み取り線を設ける上蓋と、
ベース上に取り付けられる少なくとも１つのモータと、
一組がベースに取り付けられ、第１通路内に進入し、他組がベース上に取り付けられ、第２通路内に進入し、両組が何れもモータに接続し、モータの駆動により正回転及び逆回転できる二組のローラと、
第１通路内に取り付けられるセンサと、
ベース上に固定設置され、係止アームを含み、係止アーム及びスキャン読み取り線が相互に平行に第２通路後方に設けられ、第２通路と直交するカード受け装置と、
を含むスキャン装置。
【請求項２】
前記カード受け装置は、更に、２つの弾性アームを含み、２つの弾性アームは、横向き配列を呈してベース上の第２通路の下方に固定設置され、第２通路に相対して前後に伸縮することができ、前記係止アームは、２つの弾性アームの末端に固定設置され、弾性アームが収縮状態にある時、係止アームは、第２通路の後端に位置し、第２通路を密閉する請求項１に記載のスキャン装置。
【請求項３】
前記２つの弾性アームは、何れも中空の第１支持アーム、第２支持アーム及びバネを含み、前記第１支持アームは、固定端及び自由端を含み、２つの第１支持アームの固定端は、何れもベース上の第２通路の下方に枢着し、前記２つのバネは、それぞれ２つの第１支持アームのベースに枢着する一端と枢着し、且つそれぞれ２つの第１支持アームの固定端と共にベース上に枢着し、バネの一端は、ベース上に固定設置され、バネの他端は、第１支持アーム上に固定設置され、前記２つの第２支持アームの一端は、それぞれ対応する第１支持アームの自由端に固定設置され、前記係止アームは、２つの第２支持アームの他端に固定設置される請求項２に記載のスキャン装置。
【請求項４】
前記ベース上の第２通路の下方に２つの横向き配列を呈する凸柱を凸設し、前記２つの第１支持アームの固定端の一側は、円環形の枢着部を設け、前記２つの枢着部は、それぞれ凸柱上に枢着し、前記２つのバネは、枢着部上に枢着する請求項３に記載のスキャン装置。
【請求項５】
前記２つの第１支持アームの固定端上は、何れも相互に噛み合う第１係合歯を凸設し、前記２つの第２支持アームは、係止アームの一端は、何れも相互に噛み合う第２係合歯を凸設する請求項３に記載のスキャン装置。
【請求項６】
前記２つの第１支持アームの自由端は、何れも弧形限位溝を設け、前記第２支持アームの第１支持アームを固定設置する一端は、限位ブロックを凸設し、前記限位ブロックは、対応する限位溝内に収容される請求項３に記載のスキャン装置。
【請求項７】
前記係止アームは、固定板を有し、固定板の後端は、上向きに係止板を凸伸し、前記固定板は、２つの弾性アームの末端に固定設置され、弾性アームが収縮状態にある時、係止板は、第２通路の後端に位置し、第２通路を密閉する請求項２に記載のスキャン装置。
【請求項８】
前記ベースは、座体部及び保持部を含み、前記座体部の前部は、伝送台であり、前記座体部の後部は、伝送台よりも高く上向きに起きた戻り台であり、
前記保持部の上表面は、水平状を呈し、保持部は、座体部上の開口の下方に固定設置され、保持部の上表面は、伝送台と平らに揃えられ、上蓋は、ベース上に被せ設けられた後、上蓋と伝送台の前部との間に前記第１通路を形成し、上蓋と伝送台の中部との間は、前記スキャン通路を形成し、上蓋及び伝送台の後部の組み合わせ及び座体部の開口と保持部上方が共同で前記第２通路を形成する請求項１に記載のスキャン装置。